(57)【特許請求の範囲】
【請求項１】
天板の下方に幕板を有するとともに、底部に設けたキャスター等により移動可能とした移動テーブルにおいて、前記幕板の内側にバッテリー収容部を形成し、かつ前記幕板の全体、または一部分の下部を、バッテリー収容部に枢着して、その上部を開閉しうるようにすることによって、前記バッテリー収容部へのバッテリーの出し入れを可能としたことを特徴とする移動テーブル。
【請求項２】
天板の下方に幕板を有するとともに、底部に設けたキャスター等により移動可能とした移動テーブルにおいて、前記幕板の内側にバッテリー収容部を形成し、かつ前記幕板の全体、または一部分を開閉可能にすることによって、前記バッテリー収容部へのバッテリーの出し入れを可能とし、かつ幕板の開閉部に、バッテリーを支承する底板を一体的に設け、幕板の開閉に伴って、バッテリーの少なくとも一部が、バッテリー収容部から露出するようにしたことを特徴とする移動テーブル。
【請求項３】
幕板の全体、または一部分の開閉中心を、幕板を閉じた状態において、バッテリー収容部へ収容したバッテリーの重心より後方に設定した請求項１記載の移動テーブル。
【請求項４】
バッテリー収容部の上部塞ぎ板に、バッテリーと天板上のＯＡ機器等とを接続する電源コードを通すコード挿通部を設けた請求項１〜３のいずれかに記載の移動テーブル。
【発明の詳細な説明】
【０００１】
【発明の属する技術分野】
本発明は、事務室、会議室、講演会場等で使用される移動テーブルであって、特に、バッテリーを内蔵していることにより、壁、床等におけるコンセントに接続される電源コードを必要としないようにした移動テーブルに関する。
【０００２】
【従来の技術】
事務室等で使用するテーブルには、ワープロ、パソコン等のＯＡ機器が置かれる場合がある。また、会議室や公演会場で使用するテーブルには、マイクロホン、アンプ、スピーカ等の音声増幅機器を備えている場合がある。
これらのテーブルは、いずれも電源を必要とし、壁や床等に取付けられたコンセントにプラグを差し込み、電源を得ている。
【０００３】
【発明が解決しようとする課題】
上記各テーブルが固定テーブルである場合には、電源コードは、コンセントからテーブルまで壁や床に這わせて、固定されていることが多い。
しかし、移動テーブルの場合には、電源コードは、床に固定せず、単に這わせてあるだけである。
そのため、移動テーブルの電源コードは、歩く人の邪魔になり危険である。
また、移動テーブルでは、移動する度毎に、最も近いコンセントを探さなければならないという問題もある。
【０００４】
本発明は、従来の移動テーブルが有する上記の問題点に鑑み、コンセントに接続する電源コードを無くして、自由に移動でき、かつ電源コードが、歩く人の邪魔にならないようにした移動テーブルを提供することを目的とする。
【０００５】
【課題を解決するための手段】
本発明によると、上記課題は、次のようにして解決される。
(１) 天板の下方に幕板を有するとともに、底部に設けたキャスター等により移動可能とした移動テーブルにおいて、前記幕板の内側にバッテリー収容部を形成し、かつ前記幕板の全体、または一部分の下部を、バッテリー収容部に枢着して、その上部を開閉しうるようにすることによって、前記バッテリー収容部へのバッテリーの出し入れを可能とする。
【０００６】
(２) 天板の下方に幕板を有するとともに、底部に設けたキャスター等により移動可能とした移動テーブルにおいて、前記幕板の内側にバッテリー収容部を形成し、かつ前記幕板の全体、または一部分を開閉可能にすることによって、前記バッテリー収容部へのバッテリーの出し入れを可能とし、かつ幕板の開閉部に、バッテリーを支承する底板を一体的に設け、幕板の開閉に伴って、バッテリーの少なくとも一部が、バッテリー収容部から露出するようにする。
【０００７】
(３) 上記項(１)において、幕板の全体、または一部分の開閉中心を、幕板を閉じた状態において、バッテリー収容部へ収容したバッテリーの重心より後方に設定する。
【０００８】
(４) 上記(１)〜(３)項のいずれかにおいて、バッテリー収容部の上部塞ぎ板に、バッテリーと天板上のＯＡ機器等とを接続する電源コードを通すコード挿通部を設ける。
【０００９】
【発明の実施の形態】
以下、本発明の実施の形態を、図１〜図７に基づいて説明する。
なお、本発明における前とは、人が移動テーブルに向き合う部分を言う。すなわち、図１において右側の部分、図２において左上の部分を言う。
【００１０】
移動テーブル(１)は、図１、図２に示すように、テーブル本体(２)と、バッテリー収容部(３)とを備えている。
テーブル本体(２)は、支柱(４)と、支柱(４)の上部に支基(５)を介して設けられた天板(６)と、支柱(４)の下部に４方に延ばして設けられた４本の脚(７)(８)とを備えている。脚(７)(８)の先端には、キャスター(９)が設けられている。４本の脚の内、前部の脚(７)は長く、後部の脚(８)は短くしてある。
天板(６)の前部には、移動テーブル(１)を使用する人を受け入れる円弧状の凹部(6a)が形成されている。
【００１１】
バッテリー収容部(３)は箱状をなし、支柱(４)の中間部に、上下１対の逆向き「Ω」字状の取付け金具(10)によって、取付けられている。
バッテリー収容部(３)は、図３、図４に示すように、箱体(11)と、箱体(11)の上部に小ねじ(12)によって取付けられた上部塞ぎ板(13)と、箱体(11)の下部に小ねじ(14)によって取付けられた底板である下部塞ぎ板(15)と、箱体(11)の後部を開閉する後部カバー(16)とを備えている。
上部、下部塞ぎ板(13)(14)には、小ねじ(12)(13)の頭部を隠すキャップ(17)(18)が装着されている。
【００１２】
箱体(11)は、後述するバッテリー(Ｂ)を収容する空間を確保するバッテリー収容空間(20)と、後面が幕板(28)の一部(両側部)をなす平面視ほぼ三角形の側部(21)(21)と、バッテリー収容空間(20)内に設けられた複数段の棚板(22)と、上下方向を向く補強用の柱(35)とを備えている。
棚板(22)上には、ＡＣアダプター(46)、ＡＣ／ＤＣインバータ(47)等(図１参照)が載置される。
【００１３】
幕板(28)の他部(中央部)をなす後部カバー(16)は、板金を折り曲げて形成されたカバー板(36)と、このカバー板(36)に取付けられた化粧板(37)とによって形成されている。
カバー板(36)の前方に折り曲げられた左右の側片(23)は、後部カバー(16)を補強し、後部カバー(16)の開状態を保持するリンク機構(27)の取付け部として形成されている。
後部カバー(16)は、側片(23)の下端部に穿設された貫通孔(24)を貫通して箱体(11)に取付けた枢軸(25)によって、前後方向に開閉可能に箱体(11)に枢着されている。
【００１４】
貫通孔(24)は、後部カバー(16)を閉じた状態において、後部カバー(16)の前面に保持されるバッテリー(Ｂ)の重心より後方に形成されている。このため、後部カバー(16)を閉じると、後部カバー(16)の開閉中心であるボルト(25)より前方にバッテリー(Ｂ)の重心が位置し、人が強制的に開かないかぎり、開けることはきない。
【００１５】
バッテリー収容空間(20)の内壁(20a)には、鉄板製のカバー板(36)を吸着するマグネットキャッチ(26)が設けられている。
後部カバー(16)の化粧板(36)と、側部(21)の後面とは、後部カバー(16)を閉じたとき連続する平面視円弧状の曲面をなし、それらによって幕板(28)を形成している。
リンク機構(27)は、前部リンク(29)と後部リンク(30)とを互いに屈曲可能に連結して形成され、後部カバー(16)と側部(21)との間に設けられている。
【００１６】
上部塞ぎ板(13)には、バッテリー(Ｂ)と、天板(６)上のＯＡ機器、マイク等とを接続する電源コードが通る、Ｕ字状の切欠(コード挿通部)(31)が６つ形成されている。切欠(31)の代わりに孔を設けてもよい。
上部、下部塞ぎ板(13)(15)の前部には、支柱４を受け入れる円弧状の切欠(32)(33)が形成されている。
【００１７】
後部カバー(16)は、図３に示すように、その前面にバッテリー(Ｂ)を保持するバッテリー受け(34)を有している。バッテリー受け(34)は、カバー板(36)の側片(23)と底板(38)とにより形成されている。
バッテリー(Ｂ)は、バッテリー受け(34)から取出し易いように、図５〜図７に示すようなバッテリーケース(40)に入れられている。
バッテリーケース(40)は、溶接によって一体化された把手取付け板(45)と、補強部材(41)と、バッテリー(Ｂ)の頭部の前後規制をするバッテリー押さえ(42)とを、バッテリーホルダー(43)に設けて形成され、把手取付け板(45)には、把手(44)が設けられている。
【００１８】
移動テーブル(１)は、バッテリー(Ｂ)の端子(Ｔ)に電源コードを接続し、そのコードを上述の棚板(22)上のＡＣアダプター(46)、ＡＣ／ＤＣインバータ(47)等に接続し、さらに、別のコードにより、Ｕ字状の切欠(31)を通して天板(６)上のＯＡ機器に接続して、事務処理業務に使用されたり、前記コードをマイクロホン等に接続して、会議、講演会等に使用されたりする。
【００１９】
バッテリー(Ｂ)の取出しは、後部カバー(16)を後方に引いて、バッテリー収容部(３)を開き、バッテリーケース(40)の把手(44)を掴んで、バッテリーケース(40)を上方に引き上げることによって行なわれる。
後部カバー(16)は、リンク機構(27)によって、約４５度の角度に開いたまま保持される。
新たなバッテリー(Ｂ)は、バッテリーケース(40)ごと、バッテリー受け(34)に収納される。新たなバッテリー(Ｂ)を収納した後部カバー(16)は、後方に倒れた状態から起こすと、マグネットキャッチ(26)に吸着されて、閉じた状態に保持される。
【００２０】
また、後部カバー(16)の開閉中心であるボルト(25)が、バッテリー(Ｂ)の重心より後方に設けられているため、後部カバー(16)を閉じると、バッテリー(Ｂ)の重心はボルト(25)より前方に位置し、後部カバー(16)は、人が強制的に開かないかぎり、開けることができない。
したがって、後部カバー(16)は、移動テーブル(１)の移動中の振動や、ＯＡ機器使用中の振動等によって、不用意に開くことがない。
【００２１】
以上の実施形態の移動テーブルは、幕板の一部分である、後部カバーが開閉するようになっているが、他の実施形態の移動テーブルとして、幕板全体である後部カバーと側部とが開閉する移動テーブルもある。
【００２２】
また、上述の実施形態では、支柱(４)にバッテリー収容部(３)を取付け、その後面の後部カバー(16)等をもって幕板としているが、支柱(４)を省略して、バッテリー収容部(３)と後部カバー(16)とにより厚肉の幕板とし、その上端で天板(６)を支持するような構成としてもよい。
【００２３】
【発明の効果】
請求項１の発明は、移動テーブル内にバッテリーを収容しうるようにしたので、次の効果を奏する。
コンセントに電源コードを接続する必要がなくなり、電源コードが歩く人の邪魔になることがない。
移動テーブルの移動中、電源を切る必要がない。
コンセントに接続する電源コードが無く、移動テーブルから電源コードが垂れ下がるようなことがない。
移動テーブルを移動する度毎に、最も近いコンセントを探す必要がなくなり、移動テーブルが使い易くなる。
また、幕板の全体、または一部分の下部を、バッテリー収容部に枢着して、その上部を開閉しうるようにしたので、幕板を開いた状態で、バッテリーを容易に交換することができる。
【００２４】
請求項２の発明は、移動テーブル内にバッテリーを収容しうるようにしたので、次の効果を奏する。
コンセントに電源コードを接続する必要がなくなり、電源コードが歩く人の邪魔になることがない。
移動テーブルの移動中、電源を切る必要がない。
コンセントに接続する電源コードが無く、移動テーブルから電源コードが垂れ下がるようなことがない。
移動テーブルを移動する度毎に、最も近いコンセントを探す必要がなくなり、移動テーブルが使い易くなる。
また、幕板の開閉部に、バッテリーを支承する底板を一体的に設け、幕板の開閉に伴って、バッテリーの少なくとも一部が、バッテリー収容部から露出するようにしたので、バッテリーの着脱に便利である。
【００２５】
請求項３の発明によると、バッテリーの重みを利用して、幕板の閉じられた状態を保持することができ、移動テーブルの移動中の振動によって、幕板が開くようなことがない。
【００２６】
請求項４の発明によると、コード挿通部は、天板に覆われ、コードの取出し部分が外部から目につくことが少なく、意匠的に優れた移動テーブルを得ることができる。
【図面の簡単な説明】
【図１】  本発明の実施形態の移動テーブルの側面図である。
【図２】  図１の移動テーブルの斜視図である。
【図３】  バッテリー収容部の斜視図である。
【図４】  バッテリー収容部の分解斜視図である。
【図５】  バッテリーケースの斜視図である。
【図６】  バッテリーケースにバッテリーを収容した状態を示す斜視図である。
【図７】  バッテリーケースの分解斜視図である。
【符号の説明】
(Ｂ)バッテリー
(Ｔ)端子
(１)移動テーブル
(２)テーブル本体
(３)バッテリー収容部
(４)支柱
(５)支基
(６)天板
(6a)凹部
(７)前部の脚
(８)後部の脚
(９)キャスター
(10)取付け金具
(11)箱体
(12)小ねじ
(13)上部塞ぎ板
(14)小ねじ
(15)下部塞ぎ板
(16)後部カバー
(17)キャップ
(18)キャップ
(20)バッテリー収容空間
(20a)内壁
(21)側部
(22)棚板
(23)側片
(24)貫通孔
(25)ボルト
(26)マグネットキャッチ
(27)リンク機構
(28)幕板
(29)前部リンク
(30)後部リンク
(31)切欠(コード挿通部)
(32)切欠
(33)切欠
(34)バッテリー受け
(35)補強用の柱
(36)カバー板
(37)化粧板
(38)底板
(40)バッテリーケース
(41)補強部材
(42)バッテリー押さえ
(43)バッテリーホルダー
(44)把手
(45)把手取付け板
(46)ＡＣアダプター
(47)ＡＣ／ＤＣインバータ
【図１】
0003839906.tif 000002
【図２】
0003839906.tif 000003
【図３】
0003839906.tif 000004
【図４】
0003839906.tif 000005
【図５】
0003839906.tif 000006
【図６】
0003839906.tif 000007
【図７】
0003839906.tif 000008